(57)【要約】【課題】  出力装置から送受信装置を経由して映像信号を受信する表示装置と、出力装置から直接、映像信号を受信する表示装置とで、表示の同期を可能とする送受信装置を提供することを目的とする。【解決手段】  本発明の送受信装置は、撮像装置１０１と通信する通信部８０１と、表示装置７０６ａ、７０６ｂと通信する通信部８１３と、撮像装置１０１から取得した映像信号を表示装置７０６ａに出力し、表示装置７０６ａが映像信号に基づいて画像を表示したタイミングを示すＩＤＭＳレポートを取得し、撮像装置１０１から取得した映像信号を表示装置７０６ｂに出力し、表示装置７０６ｂが映像信号に基づいて画像を表示したタイミングを示すＩＤＭＳレポートを取得し、表示装置７０６ａから取得したＩＤＭＳレポートおよび表示装置７０６ａから取得したＩＤＭＳレポートに基づくＩＤＭＳレポートを撮像装置１０１に出力するレポート送信部８１２と、を備える。【選択図】  図８
2020088755.tif 000002
【特許請求の範囲】
【請求項１】
出力装置と通信する第１通信手段と、
第１表示装置および第２表示装置と通信する第２通信手段と、
前記出力装置から前記第１通信手段を介して取得した第１フレームを前記第１表示装置に前記第２通信手段を介して出力し、
前記第１表示装置が前記第１フレームに基づいて画像を表示したタイミングを示す第１情報を前記第２通信手段を介して取得し、
前記出力装置から前記第１通信手段を介して取得した第２フレームを、前記第２表示装置に前記第２通信手段を介して出力し、
前記第２表示装置が前記第２フレームに基づいて画像を表示したタイミングを示す第２情報を前記第２通信手段を介して取得し、
前記第１情報および前記第２情報とに基づいて遅延情報を前記第１通信手段を介して前記出力装置に出力する制御手段と、
を備える送受信装置。
【請求項２】
前記制御手段は、
前記第１フレームを前記第１表示装置に出力したタイミングおよび前記第１表示装置が前記第１フレームに基づいて画像を表示したタイミングとの間の第１期間より前記第２フレームを前記第２表示装置に出力したタイミングおよび前記第２表示装置が前記第２フレームに基づいて画像を表示したタイミングとの間の第２期間が短い場合に、前記第１情報に基づいて前記遅延情報を生成する
ことを特徴とする請求項１に記載の送受信装置。
【請求項３】
前記制御手段は、前記第１期間より前記第２期間が長い場合に、前記第２情報に基づいて前記遅延情報を生成することを特徴とする請求項２に記載の送受信装置。
【請求項４】
前記出力装置は、前記第１フレームおよび前記第２フレームをＲＴＰパケットの形式で出力し、
前記制御手段は、前記第１フレームを前記ＲＴＰパケットの形式で前記第１表示装置に出力し、
前記制御手段は、前記第２フレームを前記ＲＴＰパケットの形式で前記第２表示装置に出力する
ことを特徴とする請求項１乃至請求項３のいずれか１項に記載の送受信装置。
【請求項５】
前記第１通信手段は、Ｌｏｃａｌ  Ａｒｅａ  Ｎｅｔｗｏｒｋ（ＬＡＮ）を介して前記出力装置と通信し、
前記第２通信手段は、Ｌｏｃａｌ  Ａｒｅａ  Ｎｅｔｗｏｒｋ（ＬＡＮ）を介して前記第１表示装置および前記第２表示装置と通信する
ことを特徴とする請求項１乃至請求項４のいずれか１項に記載の送受信装置。
【請求項６】
前記第１情報は、前記第１フレームを示す情報と、前記第１表示装置が前記第１フレームを受信したタイミングを示す情報と、前記第１表示装置が前記第１フレームに基づく画像を表示したタイミングを示す情報とを含み、
前記第２情報は、前記第２フレームを示す情報と、前記第２表示装置が前記第２フレームを受信したタイミングを示す情報と、前記第２表示装置が前記第２フレームに基づく画像を表示したタイミングを示す情報とを含む、
ことを特徴とする請求項１乃至請求項５のいずれか１項に記載の送受信装置。
【請求項７】
出力装置と通信する第１通信手段と、
第１表示装置および第２表示装置と通信する第２通信手段と、
を備える送受信装置の制御方法であって、
前記出力装置から前記第１通信手段を介して取得した第１フレームを前記第１表示装置に前記第２通信手段を介して出力する工程と、
前記第１表示装置が前記第１フレームに基づいて画像を表示したタイミングを示す第１情報を前記第２通信手段を介して取得する工程と、
前記出力装置から前記第１通信手段を介して取得した第２フレームを、前記第２表示装置に前記第２通信手段を介して出力する工程と、
前記第２表示装置が前記第２フレームに基づいて画像を表示したタイミングを示す第２情報を前記第２通信手段を介して取得する工程と、
前記第１情報および前記第２情報とに基づいて遅延情報を前記第１通信手段を介して前記出力装置に出力する工程と、
を備える送受信装置の制御方法。
【請求項８】
前記第１フレームを前記第１表示装置に出力したタイミングおよび前記第１表示装置が前記第１フレームに基づいて画像を表示したタイミングとの間の第１期間より前記第２フレームを前記第２表示装置に出力したタイミングおよび前記第２表示装置が前記第２フレームに基づいて画像を表示したタイミングとの間の第２期間が短い場合に、前記第１情報に基づいて前記遅延情報を生成する工程をさらに備えることを特徴とする請求項７に記載の送受信装置の制御方法。
【請求項９】
前記第１期間より前記第２期間が長い場合に、前記第２情報に基づいて前記遅延情報を生成する工程をさらに備えることを特徴とする請求項８に記載の送受信装置の制御方法。
【請求項１０】
前記出力装置は、前記第１フレームおよび前記第２フレームをＲＴＰパケットの形式で出力するものであって、
前記第１フレームを前記ＲＴＰパケットの形式で前記第１表示装置に出力し、
前記第２フレームを前記ＲＴＰパケットの形式で前記第２表示装置に出力することを特徴とする請求項７乃至請求項９のいずれか１項に記載の送受信装置の制御方法。
【請求項１１】
前記第１通信手段は、Ｌｏｃａｌ  Ａｒｅａ  Ｎｅｔｗｏｒｋ（ＬＡＮ）を介して前記出力装置と通信し、
前記第２通信手段は、Ｌｏｃａｌ  Ａｒｅａ  Ｎｅｔｗｏｒｋ（ＬＡＮ）を介して前記第１表示装置および前記第２表示装置と通信する
ことを特徴とする請求項７乃至請求項１０のいずれか１項に記載の送受信装置の制御方法。
【請求項１２】
前記第１情報は、前記第１フレームを示す情報と、前記第１表示装置が前記第１フレームを受信したタイミングを示す情報と、前記第１表示装置が前記第１フレームに基づく画像を表示したタイミングを示す情報とを含み、
前記第２情報は、前記第２フレームを示す情報と、前記第２表示装置が前記第２フレームを受信したタイミングを示す情報と、前記第２表示装置が前記第２フレームに基づく画像を表示したタイミングを示す情報とを含む、
ことを特徴とする請求項７乃至請求項１１のいずれか１項に記載の送受信装置の制御方法。
【請求項１３】
請求項７乃至請求項１２のいずれか１項に記載の送受信装置の制御方法をプロセッサが実行するためのプログラム。
【請求項１４】
請求項７乃至請求項１２のいずれか１項に記載の送受信装置の制御方法をプロセッサが実行するためのプログラムを記憶する記憶媒体。
【発明の詳細な説明】
【技術分野】
【０００１】
本発明は、映像信号を受信して、複数の表示装置に送信する送受信装置及びその制御方法に関する。
【背景技術】
【０００２】
映像信号をＩｎｔｅｒｎｅｔ  Ｐｒｏｔｏｃｏｌ（ＩＰ）に変換して、Ｌｏｃａｌ  Ａｒｅａ  Ｎｅｔｗｏｒｋ（ＬＡＮ）ケーブル経由で送受信する技術は、設備の拡張性等の利便性から、今後普及することが想定される。
【０００３】
１つの映像送出機（出力装置）からＩＰに変換された映像信号を、ＬＡＮケーブルを介して複数の表示装置に送信し、各表示装置で取得した映像信号に基づいて画像を表示することがある。複数の表示装置間で、出力装置から出力された映像信号を同期して表示することがある。しかし、出力装置と表示装置との間の信号の伝送経路の長さや帯域は必ずしも均一でない。また、表示装置の処理能力が均一でない場合、映像信号を受信してから表示が完了するまでにかかる時間も、表示装置間で均一ではない。
【０００４】
特許文献１には、複数の再生端末がデータを受信して再生を行うシステムにおいて、端末間での再生開始を同期させる技術として、伝送時間の遅延時間を測定し、遅延時間に基づいた再生開示タイミングを調整する方法が開示されている。
【先行技術文献】
【特許文献】
【０００５】
【特許文献１】特開２０１５−０４１６９６号公報
【発明の概要】
【発明が解決しようとする課題】
【０００６】
特許文献１の技術では伝送経路の遅延時間に基づいて、再生開始タイミングを合わせることで再生の同期を行うことができる技術によって、映像表示の同期を行うことができる。
【０００７】
出力装置と表示装置との間に、受信した映像信号を複数の表示装置に送信可能な送受信装置（分配装置）を用いることがある。同期システムに送受信装置を含む場合、出力装置から送受信装置を経由して映像信号を受信する表示装置と、出力装置から直接、映像信号を受信する表示装置とで、映像表示の同期を行うための制御について考えられていなかった。
【０００８】
上述のような課題を鑑みて、本発明は、出力装置から送受信装置を経由して映像信号を受信する表示装置と、出力装置から直接、映像信号を受信する表示装置とで、表示の同期を可能とする送受信装置を提供することを目的とする。
【課題を解決するための手段】
【０００９】
本発明に係る送受信装置の一の形態は、出力装置と通信する第１通信手段と、第１表示装置および第２表示装置と通信する第２通信手段と、前記出力装置から前記第１通信手段を介して取得した第１フレームを前記第１表示装置に前記第２通信手段を介して出力し、前記第１表示装置が前記第１フレームに基づいて画像を表示したタイミングを示す第１情報を前記第２通信手段を介して取得し、前記出力装置から前記第１通信手段を介して取得した第２フレームを、前記第２表示装置に前記第２通信手段を介して出力し、前記第２表示装置が前記第２フレームに基づいて画像を表示したタイミングを示す第２情報を前記第２通信手段を介して取得し、前記第１情報および前記第２情報とに基づいて遅延情報を前記第１通信手段を介して前記出力装置に出力する制御手段と、を備える。
【発明の効果】
【００１０】
以上説明したように、本発明の送受信装置によれば、同期システムに送受信装置を含む場合、出力装置から送受信装置を経由して映像信号を受信する表示装置と、出力装置から直接、映像信号を受信する表示装置とで、表示の同期を可能とする。
【図面の簡単な説明】
【００１１】
【図１】撮像装置と複数の表示装置とからなる映像表示システムの構成を示す第１の構成図である。
【図２】ＲＴＰパケット化された映像信号のデータパケットの構造を示す模式図である。
【図３】ＩＤＭＳレポートおよびＩＤＭＳセッティングの一部の構造を示す模式図である。
【図４】撮像装置の機能ブロックを示すブロック図である。
【図５】表示装置の機能ブロックを示すブロック図である。
【図６】表示装置間の表示を同期させる処理を示すフローチャートである。
【図７】撮像装置、複数の表示装置および分配装置からなる映像表示システムの構成を示す構成図である。
【図８】分配装置の構成を示す第１のブロック図である。
【図９】分配装置の処理を説明するフローチャートである。
【図１０】分配装置の構成を構成を示す第２のブロック図である。
【発明を実施するための形態】
【００１２】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の有機的な組合せを含む）が可能であり、それらを本発明の範囲から除外するものではない。即ち、各実施例及びその変形例を組み合わせた構成も全て本発明に含まれるものである。
【００１３】
＜第１の実施形態＞
出力装置と複数の表示装置とからなる映像表示システムにおける同期制御について説明する。図１は、出力装置（撮像装置）１０１と、複数の表示装置１０２ａ〜１０２ｃとからなる映像表示システムの構成を示す構成図である。
【００１４】
撮像装置１０１は、被写体を撮像して得られた映像信号を、Ｒｅａｌ‐ｔｉｍｅ  Ｔｒａｓｎｐｏｒｔ  Ｐｒｏｔｏｃｏｌ（以降はＲＴＰと記載する。）によってＬｏｃａｌ  Ａｒｅａ  Ｎｅｔｗｏｒｋ（ＬＡＮ）ケーブル１０５に出力を行う装置である。撮像装置１０１は所定のフレームレートで複数のフレームが並んだ映像信号を出力する。
【００１５】
表示装置１０２ａ〜１０２ｃは、ＬＡＮケーブル１０６〜１０８から入力されるＲＴＰによって伝送された映像信号の表示を行う装置である。以降、複数の表示装置を区別して示す場合には、表示装置１０２ａ〜１０２ｃと符号を付して記載する。表示装置の機能自体を説明する場合には、表示装置１０２と記載する。ＩＰネットワーク網１０９は、ＩＰネットワーク網である。
【００１６】
また、図１の映像表示システムは、表示装置１０２ａ〜１０２ｃが、ＲＦＣ７２７２で定義された方法によって同期が行われるシステムである。図１の映像表示システムでの映像表示の同期方法について説明する。
【００１７】
図１のシステムにおいて、撮像装置１０１は、非圧縮映像信号をＲＦＣ４１７５に記載された方法でＲＴＰパケット化し送信する。表示装置１０２は、ＬＡＮケーブルを介して撮像装置１０１が送信したＲＴＰパケット化された映像信号を受信する。撮像装置１０１は、映像信号のフレームごとにＲＴＰパケット化して送信する。すなわち、ＲＴＰパケット化された映像信号は、ＲＴＰパケット化されたフレームを意味する。なお、フレームごとでなく、２以上のフレームごとにＲＴＰパケット化されてもよい。
【００１８】
図２は、ＲＴＰパケット化された映像信号のデータパケットの構造を示す模式図である。データパケットは、ＩＰヘッダー２０１、Ｕｓｅｒ  Ｄａｔａｇｒａｍ  Ｐｒｏｔｏｃｏｌ（以降は、ＵＤＰと記載する）ヘッダー２０２、ＲＴＰヘッダー２０３、ＲＴＰペイロード２０４で構成される。このうち、映像信号はＲＴＰペイロードに格納される。
【００１９】
表示装置１０２ａ〜１０２ｃはそれぞれ、ＲＦＣ７２７２に記載されたＲＴＣＰ  ＸＲ  ＩＤＭＳ  Ｒｅｐｏｒｔ  Ｂｌｏｃｋ（ＩＤＭＳレポート）を送信する。ＩＤＭＳレポートは、受信したＲＴＰパケットを特定するための情報と、受信したＲＴＰパケットを受信した時刻（タイミング）と、受信したＲＴＰパケットに含まれる映像信号に基づいて画像を表示した時刻（タイミング）とを示す情報を含む。また、ＩＤＭＳレポートは、ＩＤＭＳレポートを受信した出力装置が、出力装置がＲＴＰパケットを送信してから表示されるまでの時間（遅延量）を認識するための遅延情報である。
【００２０】
また、撮像装置１０１は、ＲＦＣ７２７２に記載されたＩＤＭＳ  Ｓｅｔｔｉｎｇ  Ｐａｃｋｅｔ（ＩＤＭＳセッティング）を、表示装置１０２ａ〜１０２ｃに送信する。ＩＤＭＳセッティングは、表示装置１０２ａ〜１０２ｃのうち撮像装置１０１がリファレンスクライアントとした表示装置がＲＴＰパケットを受信した時刻と、当該ＲＴＰパケットに含まれる映像信号に基づいて画像を表示した時刻に関する情報である。ＩＤＭＳセッティングは、受信した表示装置が、ＩＤＭＳセッティングに含まれる情報に基づいて、表示処理を遅延させ、他の表示装置と表示タイミングを同期させるための同期情報である。
【００２１】
図３は、ＩＤＭＳレポートおよびＩＤＭＳセッティングの一部の構造を示す模式図である。図３（ａ）は、ＩＤＭＳレポートで送信する情報に含まれるテーブル３０１を示す。
【００２２】
Ｍｅｄｉａ  Ｓｔｒｅａｍ  Ｃｏｒｒｅｌａｔｉｏｎ  Ｉｄｅｎｔｉｆｉｅｒ（ＭＳＣＩｄ）３０２は、同期に関する情報である。ＭＳＣＩｄ３０２は、ＩＤＭＳレポートを送信する表示装置が参加する表示同期グループを示す識別情報（Ｓｙｎｃｈｒｏｎｉｚａｔｉｏｎ  Ｇｒｏｕｐ  Ｉｄｅｎｔｉｆｉｅｒ、ＳｙｎｃＧｒｏｕｐＩｄ）を含む。図１の映像表示システムにおいて、表示装置１０２ａ〜１０２ｃは、同一の表示同期グループとする。したがって、表示装置１０２ａ〜１０２ｃが送信するＩＤＭＳレポートに記載されたＳｙｎｃＧｒｏｕｐＩｄは同一のＩＤである。
【００２３】
Ｐａｃｋｅｔ  Ｒｅｃｉｅｖｅｄ  ＮＴＰ  ｔｉｍｅｓｔａｍｐ（ＰＲＮｔ）３０３は、表示装置が、ＲＴＰパケットを受信した時刻の情報を示す。なお、撮像装置１０１および表示装置１０２ａ〜１０２ｃの間では、時刻があらかじめ同期されているとする。なお、時刻同期の方法は、既知の種々の方法を採用可能である。
【００２４】
Ｐａｃｋｅｔ  Ｒｅｃｅｉｖｅｄ  ＲＴＰ  ｔｉｍｅｓｔａｍｐ（ＰＲＲｔ）３０４は、ＲＦＣ４１７５で定義されたＲＴＰ  ＨｅａｄｅｒのＴｉｍｅｓｔａｍｐである。ＰＲＲｔ３０４は、ＲＴＰパケットを特定するための情報である。テーブル３０１を含むＩＤＭＳレポートは、ＰＲＲｔ３０４で特定されるＲＴＰパケットに関する情報である。
【００２５】
Ｐａｃｋｅｔ  Ｐｒｅｓｅｎｔｅｄ  ＮＴＰ  ｔｉｍｅｓｔａｍｐ（ＰＰＮｔ）３０５は、表示装置が、受信したＲＴＰパケットに含まれる映像信号（フレーム）に基づいて画像を表示した時刻を示す情報である。
【００２６】
ＩＤＭＳレポートは、ＰＲＲｔ３０４により特定されるＲＴＰパケットを受信したタイミング（ＰＲＮｔ３０３）と、当該ＲＴＰパケットに含まれるフレームに基づいて画像を表示したタイミング（ＰＰＮｔ３０５）と、をそれぞれ示す情報である。
【００２７】
なお、ＩＤＭＳレポートを出力する装置が、受信したＲＴＰパケットを他の装置に送信する送受信装置である場合、送受信装置が出力するＩＤＭＳレポートに含まれるＰＰＮｔ３０５は、ＲＴＰパケットを送出した時刻を示す情報であるとする。
【００２８】
図３（ｂ）は、ＩＤＭＳセッティングで送信する情報に含まれるテーブル３０６を示す。テーブル３０６は、表示同期グループに含まれる表示装置１０２ａ〜１０２ｃのうちリファレンスクライアントと決定された表示装置が、撮像装置１０１に送信したＩＤＭＳレポートに含まれるテーブル３０１の内容と同じである。
【００２９】
Ｍｅｄｉａ  Ｓｔｒｅａｍ  Ｃｏｒｒｅｌａｔｉｏｎ  Ｉｄｅｎｔｉｆｉｅｒ（ＭＳＣＩｄ）３０７は、同期に関する情報である。ＭＳＣＩｄ３０７は、ＩＤＭＳセッティングを送信し、表示を同期させる表示同期グループを示す識別情報（Ｓｙｎｃｈｒｏｎｉｚａｔｉｏｎ  Ｇｒｏｕｐ  Ｉｄｅｎｔｉｆｉｅｒ、ＳｙｎｃＧｒｏｕｐＩｄ）を含む。例えば、表示装置１０２ａ〜１０２ｃの表示を同期させる場合、ＭＳＣＩｄ３０７には、表示装置１０２ａ〜１０２ｃが送信するＩＤＭＳレポートに記載されたＳｙｎｃＧｒｏｕｐＩｄと同一のＩＤが記載される。
【００３０】
Ｐａｃｋｅｔ  Ｒｅｃｉｅｖｅｄ  ＮＴＰ  ｔｉｍｅｓｔａｍｐ（ＰＲＮｔ）３０８は、リファレンスクライアントと決定された表示装置が、撮像装置１０１に送信したＩＤＭＳレポートに含まれるＰＲＮｔ３０３と同等の情報である。
【００３１】
Ｐａｃｋｅｔ  Ｒｅｃｅｉｖｅｄ  ＲＴＰ  ｔｉｍｅｓｔａｍｐ（ＰＲＲｔ）３０９は、リファレンスクライアントである表示装置が、撮像装置１０１に送信したＩＤＭＳレポートに含まれるＰＲＲｔ３０４と同等の情報である。
【００３２】
Ｐａｃｋｅｔ  Ｐｒｅｓｅｎｔｅｄ  ＮＴＰ  ｔｉｍｅｓｔａｍｐ（ＰＰＮｔ）３１０は、リファレンスクライアントである表示装置が、撮像装置１０１に送信したＩＤＭＳレポートに含まれるＰＰＮｔ３０５と同等の情報である。
【００３３】
図４は、撮像装置１０１の機能ブロックを示すブロック図である。撮像装置１０１は、撮像部４０１、パケット生成部４０２、パケット送信部４０３、通信部４０４、レポート受信部４０５、決定部４０６、セッティング生成部４０７、セッティング送信部４０８、およびメモリ４０９を備える。なお、撮像装置１０１のパケット生成部４０２、パケット送信部４０３、通信部４０４、およびレポート受信部４０５、の各動作は、撮像装置１０１の備える１以上のプロセッサまたは電子回路によって実行可能である。撮像装置１０１の決定部４０６、セッティング生成部４０７、およびセッティング送信部４０８の各動作についても、同様にして撮像装置１０１の備える１以上のプロセッサおよび／もしくは電子回路によって実行可能である。
【００３４】
撮像部４０１は、光学レンズ、および撮像センサを含む撮像系と、撮像センサから出力されたフレームに所定の処理を行う画像処理部を備える。撮像部４０１は、所定の処理を施されたフレーム（映像信号）を所定のフレームレートでパケット生成部４０２に出力する。
【００３５】
パケット生成部４０２は、撮像部４０１から出力された映像信号をＲＴＰパケット化する。パケット生成部４０２は、映像信号をＲＴＰで伝送するために、映像信号を図２に示すデータパケットの形式に変換する。
【００３６】
パケット送信部４０３は、通信部４０４を介してＲＴＰパケット化された映像信号をＲＴＰで表示装置１０２または分配装置７００に出力する。
【００３７】
通信部４０４は、ＬＡＮ１０５を介して表示装置１０２ａ〜１０２ｃと通信を行う。
【００３８】
レポート受信部４０５は、表示装置１０２ａ〜１０２ｃおよび分配装置７００が送信したＩＤＭＳレポートを通信部４０４を介して受信する。レポート受信部４０５は、取得したＩＤＭＳレポートを決定部４０６とセッティング生成部４０７とに出力する。
【００３９】
決定部４０６は、表示装置１０２ａ〜１０２ｃおよび分配装置７００からそれぞれ受信したＩＤＭＳレポートに基づいて、表示装置１０２ａ〜１０２ｃおよび分配装置７００のうちいずれかをリファレンスクライアントとして決定する。決定部４０６は、リファレンスクライアントを示す情報をセッティング生成部４０７に出力する。
【００４０】
セッティング生成部４０７は、リファレンスクライアントとして決定された装置から受信したＩＤＭＳレポートに基づいて、ＩＤＭＳセッティングを生成する。
【００４１】
セッティング送信部４０８は、セッティング生成部４０７で作成されたＩＤＭＳセッティングを通信部４０４を介して、表示装置１０２ａ〜１０２ｃおよび分配装置７００に送信する。
【００４２】
メモリ４０９は、パケット送信部４０３で送信したＲＴＰパケットのＲＴＰ  ｔｉｍｅｓｔａｍｐと、そのＲＴＰパケットを送信した時刻と、を記憶する記憶部である。
【００４３】
図５は、表示装置１０２の機能ブロックを示すブロック図である。表示装置１０２の各処理部について図７を用いて説明する。表示装置１０２は、通信部５０１、パケット受信部５０２、ジッタ処理部５０３、復元部５０４、遅延処理部５０５、画像処理部５０６、および表示部５０７を備える。さらに、表示装置１０２は、メモリ５０８、レポート生成部５０９、レポート送信部５１０、処理時間取得部５１１、セッティング受信部５１２、および遅延量決定部５１３を備える。表示装置１０２の通信部５０１、パケット受信部５０２、ジッタ処理部５０３、復元部５０４、遅延処理部５０５、および画像処理部５０６の動作は、表示装置１０２の備える１以上のプロセッサおよび／もしくは電子回路によって実行可能である。表示装置１０２のレポート生成部５０９、レポート送信部５１０、処理時間取得部５１１、セッティング受信部５１２、および遅延量決定部５１３の動作は、表示装置１０２の備える１以上のプロセッサおよび／もしくは電子回路によって実行可能である。
【００４４】
通信部５０１は、ＬＡＮ１０６等を介して撮像装置１０１と通信を行う制御部である。
【００４５】
パケット受信部５０２は、通信部５０１を介して撮像装置１０１が送信するＲＴＰパケットを受信する。パケット受信部５０２は、受信したＲＴＰパケットをジッタ処理部５０３に出力する。また、パケット受信部５０２は、受信したＲＴＰパケットを特定するための情報と、当該ＲＴＰパケットを受信した時刻を示す情報とを、メモリ５０８に格納する。
【００４６】
ジッタ処理部５０３は、ネットワークの通信ジッタによりＲＴＰパケットの受信時のジッタが、表示部５０７の表示に伝搬しないために、バッファによりジッタを吸収する。
【００４７】
復元部５０４は、ＲＴＰパケットに含まれる映像信号（フレーム）を復元して、表示部５０７の画像表示処理に使用可能な形式に変換する。
【００４８】
遅延処理部５０５は、復元部５０４から出力された映像信号を、フレームメモリに蓄える（バッファリング）。遅延処理部５０５は、指定された期間（指定期間）だけ映像信号を格納し、画像処理部５０６に映像信号を出力する。すなわち、遅延処理部５０５は、上述の遅延処理を行わない場合に比べて、映像信号に基づく画像が表示部５０７に表示されるタイミングを指定期間だけ遅延させる。なお、遅延処理部５０５に指定される期間は、後述の遅延量決定部５１３で決定される。
【００４９】
画像処理部５０６は、遅延処理部５０５から出力された映像信号に対して、画像処理を行う。画像処理部５０６が実行する処理は、例えば、解像度変換処理、フレームレート変換処理、色補正処理、ピーキング処理を含む複数の画像処理のうち、少なくとも１つの処理である。
【００５０】
表示部５０７は、画像処理部５０６で処理された映像信号に基づいて画像を表示する。表示部５０７は、画像を表示した時刻を示す情報と、表示した画像に対応するＲＴＰパケットを特定する情報と、をメモリ５０８に格納する。
【００５１】
メモリ５０８は、表示装置１０２が表示同期のために用いる情報を格納する記憶媒体である。
【００５２】
レポート生成部５０９は、ＩＤＭＳレポートを生成する。レポート生成部５０９は、受信したＲＴＰパケットを特定するための情報と、当該ＲＴＰパケットを受信した時刻を示す情報と、受信したＲＴＰパケットに含まれる映像信号に基づく画像を表示した時刻を示す情報と、を読み出す。レポート生成部５０９は、受信したＲＴＰパケットを特定するための情報を、ＩＤＭＳレポートのＰＲＲｔ３０４とする。レポート生成部５０９は、当該ＲＴＰパケットを受信した時刻を示す情報を、ＩＤＭＳレポートのＰＲＮｔ３０３とする。レポート生成部５０９は、受信したＲＴＰパケットに含まれる映像信号に基づく画像を表示した時刻を示す情報を、ＩＤＭＳレポートのＰＰＮｔ３０５とする。
【００５３】
レポート送信部５１０は、レポート生成部５０９が生成したＩＤＭＳレポートを通信部５０１を介して撮像装置１０１に出力する。
【００５４】
処理時間取得部５１１は、パケット受信部５０２から表示部５０７の間の各機能ブロックにおける処理時間を取得する。上述した通信部５０１から表示部５０７の各機能ブロックの処理を経て、入力されたＲＴＰパケットに含まれる映像信号に基づく画像が表示部５０７に表示される（表示処理が完了する）。一連の表示処理において、ＲＴＰパケットが受信されてから、表示部５０７に対応する画像が表示するまでの期間は、ジッタ処理部５０３、復元部５０４、および画像処理部５０６における処理時間の影響を受ける。また、画像処理部５０６における処理時間は、画像処理部５０６で実行される画像処理の種類や数に応じて変動する。
【００５５】
セッティング受信部５１２は、通信部５０１を介して、撮像装置１０１が送信するＩＤＭＳセッティングを受信する。
【００５６】
遅延量決定部５１３は、ＩＤＭＳセッティングと、処理時間取得部５１１で取得した表示処理における処理時間とに基づいて、遅延処理部５０５にて付与する遅延量（指定された期間）を決定する。遅延量決定部５１３は、セッティング受信部５１２により受信したＩＤＭＳセッティングからリファレンスクライアントの遅延量を算出する。
【００５７】
遅延量決定部５１３は、遅延処理を行う指定期間を決定する。遅延量決定部５１３は、ＩＤＭＳセッティングのＰＰＮｔ３１０で示される時刻がＰＲＲｔ３０９と同一のＲＴＰパケットを表示部５０７にて過去に表示した時刻よりも遅い場合、その時刻の差を、指定期間と決定する。例えば、ＩＤＭＳセッティングで特定されるＲＴＰパケットａに含まれるフレームｆａに基づく画像をリファレンスクライアントが表示した時刻（ＰＰＮｔ３１０）がＴｃａであり、表示部５０７がフレームｆａに基づく画像を表示した時刻がＴａであるとする。この時、Ｔｃａ＞Ｔａであれば、指定期間を｜Ｔｃａ−Ｔａ｜とする。また、Ｔｃａ≦Ｔａであれば、指定期間を０とする。
【００５８】
遅延処理部５０５は、遅延量決定部５１３で決定された指定期間だけ、映像信号をバッファリングして表示タイミングを調整する。これにより、同じ表示同期グループに属する複数の装置の処理のタイミングが同期する。
【００５９】
図６は、図１の映像表示システムにおいて、表示装置間の表示を同期させる処理を示すフローチャートである。各装置の実行する処理は、ａ〜ｃの符号を付した場合、表示装置１０２ａ〜１０２ｃの各々に対応する処理であることを示す。以下では、各処理に対して、符号を付さずにある表示装置１０２に対する処理として説明を行う。
【００６０】
Ｓ６００で、撮像装置１０１のパケット送信部４０３は、表示装置１０２にＲＴＰパケットを送信する。
【００６１】
Ｓ６０１で、撮像装置１０１のパケット送信部４０３は、表示装置１０２に送信したＲＴＰパケットを特定するための情報と、当該ＲＴＰパケットを送信したタイミングとをメモリ４０９に格納する。
【００６２】
Ｓ６０２で、表示装置１０２のパケット受信部５０２は、ＲＴＰパケットを受信する。
【００６３】
Ｓ６０３で、表示装置１０２のパケット受信部５０２は、受信したＲＴＰパケットを特定する情報と、ＲＴＰパケットを受信したタイミングとを含む受信情報をメモリ５０８に格納する。
【００６４】
Ｓ６０４で、表示装置１０２のジッタ処理部５０３、復元部５０４、画像処理部５０６、および表示部５０７は、受信したＲＴＰパケットに含まれる映像信号（フレーム）に基づく画像を表示させる表示処理を実行する。
【００６５】
Ｓ６０５で、表示装置１０２のメモリ５０８は、受信したＲＴＰパケットに含まれる映像信号（フレーム）に基づく画像を表示したタイミングを示す表示情報を記憶する。
【００６６】
Ｓ６０６で、表示装置１０２のレポート生成部５０９は、ＩＤＭＳレポートを生成する。
【００６７】
Ｓ６０７で、表示装置１０２のレポート送信部５１０は、ＩＤＭＳレポートを撮像装置１０１に送信する。
【００６８】
Ｓ６０８で、撮像装置１０１のレポート受信部４０５は、表示装置１０２からＩＤＭＳレポートを受信する。
【００６９】
Ｓ６０９で、撮像装置１０１の決定部４０６は、Ｓ６０８ａ〜Ｓ６０８ｃで受信した表示装置１０２ａ〜１０２ｃのＩＤＭＳレポートに基づいて、表示装置１０２ａ〜１０２ｃのうちリファレンスクライアントを決定する。Ｓ６０９で、決定部４０６は、ＩＤＭＳレポートのＰＲＲｔ３０４に記載されるＲＴＰパケットを送信したタイミングと、各ＩＤＭＳレポートのＰＰＮｔ３０５に記載される当該ＲＴＰパケットに基づく画像を表示したタイミングとの差分を取得する。そして、決定部４０６は、取得した差分を対応する表示装置１０２の遅延量とする。撮像装置１０１は、表示装置１０２ａ〜１０２ｃの各々に対して遅延量を取得し、最も遅延量が大きい表示装置をリファレンスクライアントとして決定する。
【００７０】
Ｓ６１０で、撮像装置１０１のセッティング生成部４０７は、リファレンスクライアントと決定した表示装置より受信したＩＤＭＳレポートからＩＤＭＳセッティングを作成する。
【００７１】
Ｓ６１１で、撮像装置１０１のセッティング送信部４０８は、ＩＤＭＳセッティングを表示装置１０２に出力する。
【００７２】
Ｓ６１２で、表示装置１０２のセッティング受信部５１２は、ＩＤＭＳセッティングを受信する。
【００７３】
Ｓ６１３で、表示装置１０２の処理時間取得部５１１、および遅延量決定部５１３は、受信したＩＤＭＳセッティングに基づいて、指定期間を決定する。遅延処理部５０５は、決定された指定期間に基づいて表示処理のタイミングを制御する。具体的には、表示装置１０２は、受信したＩＤＭＳセッティングに記載された表示タイミングで、画像を表示するように、フレームメモリ等を用いてバッファリングを行う。
【００７４】
上述した各処理のうち、Ｓ６００〜Ｓ６０８、およびＳ６１１〜Ｓ６１３は、図６に示すように表示装置１０２ａ〜１０２ｃに対してそれぞれ実行される。
【００７５】
上述の制御により、図１に示す映像表示システムは、表示装置１０２ａ〜１０２ｃの間で同期して画像を表示することが可能となる。
【００７６】
図６では、簡単のため、あるＲＴＰパケットに対してＩＤＭＳレポートの送受信およびＩＤＭＳセッティングの送受信を含む一連の処理（Ｓ６００〜Ｓ６１３）が完了するとした。しかし、第１のフレームに対応するＲＴＰパケットに対して表示装置１０２ａからＩＤＭＳレポートを受信し、第２のフレームに対応するＲＴＰパケットに対して表示装置１０２ｂからＩＤＭＳレポートを受信してもよい。さらに第３のフレームに対応するＲＴＰパケットに対して表示装置１０２ｃからＩＤＭＳレポートを受信してもよい。撮像装置１０１は、各フレームに対応するＲＴＰパケットの送信時刻と、表示時刻との差分から遅延量を抽出して、表示装置間で比較する。したがって、リファレンスクライアントの決定のために撮像装置１０１が取得するＩＤＭＳレポートは同一のフレームに対応するＲＴＰパケットに関するものでなくともよい。
【００７７】
図１に示した映像表示システムに対して、撮像装置１０１から受信したＲＴＰパケットを、接続した１以上の表示装置に送信可能な送受信装置を加えた場合について説明する。
【００７８】
図７は、本発明の実施の形態１に係る映像表示システムのシステム構成図である。撮像装置１０１は、表示装置１０２ａ〜１０２ｃおよび分配装置７００にＲＴＰパケット化した映像信号を送信することが可能である。分配装置７００は、撮像装置１０１から受信したＲＴＰパケットを、接続した１以上の表示装置７０６に送信可能な送受信装置である。表示装置７０６は、表示装置１０２と同様の機能ブロックを備える装置であることから詳細な説明は省略する。
【００７９】
分配装置７００は、撮像装置１０１からＬＡＮ７０１を介してＲＴＰパケット化された映像信号、ＩＤＭＳセッティングを受信する。分配装置７００は、ＬＡＮ７０２を介して撮像装置１０１から受信したＲＴＰパケット化された映像信号、および撮像装置１０１から受信したＩＤＭＳセッティングに基づいて生成したＩＤＭＳセッティングを出力する。分配装置７００から出力されたＲＴＰパケット化された映像信号、およびＩＤＭＳセッティングは、ＩＰネットワーク７０３と、表示装置７０６ａに接続されたＬＡＮ７０４とを介して表示装置７０６ａに入力される。分配装置７００から出力されたＲＴＰパケット化された映像信号、およびＩＤＭＳセッティングは、ＩＰネットワーク７０３と、表示装置７０６ｂに接続されたＬＡＮ７０５とを介して表示装置７０６ｂに入力される。
【００８０】
さらに、表示装置７０６ａ、７０６ｂは、受信したＲＴＰパケット化された映像信号に基づく画像を表示し、ＲＴＰパケット化された映像信号の受信時刻と表示時刻とを示すＩＤＭＳレポートをそれぞれ分配装置７００に出力する。分配装置７００は、受信した表示装置７０６ａ、７０６ｂそれぞれのＩＤＭＳレポートから、１つのＩＤＭＳレポートを生成して、撮像装置１０１に出力する。分配装置７００は、受信した表示装置７０６ａ、７０６ｂそれぞれのＩＤＭＳレポートのうち、表示時刻が最も遅い表示装置から出力されたＩＤＭＳレポートに示された情報を用いて撮像装置１０１に出力するＩＤＭＳレポートを生成するとする。
【００８１】
図８は、分配装置７００の機能ブロックを示すブロック図である。分配装置７００は、通信部８０１、パケット受信部８０２、パケット生成部８０３、送信先決定部８０４、パケット送信部８０５、セッティング受信部８０６、セッティング生成部８０７、およびセッティング送信部８０８を備える。また、分配装置７００は、レポート受信部８０９、クライアント決定部８１０、レポート生成部８１１、レポート送信部８１２、および通信部８１３を備える。
【００８２】
分配装置７００の通信部８０１、パケット受信部８０２、パケット生成部８０３、送信先決定部８０４、、およびパケット送信部８０５の動作は、分配装置７００の備える１以上のプロセッサおよび／もしくは電子回路によって実行可能である。分配装置７００のセッティング受信部８０６、セッティング生成部８０７、およびセッティング送信部８０８の動作は、分配装置７００の備える１以上のプロセッサおよび／もしくは電子回路によって実行可能である。分配装置７００のレポート受信部８０９、クライアント決定部８１０、レポート生成部８１１、レポート送信部８１２、および通信部８１３の動作は、分配装置７００の備える１以上のプロセッサおよび／もしくは電子回路によって実行可能である。
【００８３】
通信部８０１は、ＬＡＮ７０１を介して撮像装置１０１と、の通信を行う制御部である。また、通信部８１３は、ＬＡＮ７０２を介して表示装置７０６ａと、表示装置７０６ｂと、の通信を行う制御部である。
【００８４】
パケット受信部８０２は、撮像装置１０１が送信するＲＴＰパケットを通信部８０１を介して受信する。
【００８５】
パケット生成部８０３は、ＲＴＰパケット受信部８０３で受信した撮像装置１０１から送信されるＲＴＰパケットから、パケット送信部８０５によって表示装置７０６ａと、表示装置７０６ｂとに送信するＲＴＰパケットを生成する。パケット生成部８０３は、撮像装置１０１から送信されるＲＴＰヘッダー２０３と、ＲＴＰペイロード２０４とを使用する。撮像装置１０１が送信するデータパケットと、分配装置７００に送信するデータパケットとで、異なる点はＩＰヘッダー２０１、ＵＤＰヘッダー２０２とが異なる点である。
【００８６】
送信先決定部８０４は、分配装置７００が受信したＲＴＰパケットを送信する表示装置を決定する。送信先決定部８０４での、ＲＴＰパケット送信先は、図示しないユーザーインターフェースによってユーザーが指定する。本実施例では、送信先決定部８０４で決定された送信先が表示装置７０６ａと、表示装置７０６ｂとであるとする。
【００８７】
パケット送信部８０５は、パケット生成部８０３で生成したＲＴＰパケットを、送信先決定部８０４で決定された送信先に通信部８１３を介して送信する。また、パケット送信部８０５は、不図示のメモリに、表示装置７０６ａと、表示装置７０６ｂと、にＲＴＰパケットを送信した時刻を記憶する。
【００８８】
セッティング受信部８０６は、撮像装置１０１が送信するＩＤＭＳセッティングを通信部８０１を介して受信する。
【００８９】
セッティング生成部８０７は、表示装置７０６ａと、表示装置７０６ｂとに送信するＩＤＭＳセッティングを生成する。セッティング生成部８０７は、セッティング受信部８０６によって取得した撮像装置１０１が送信するＩＤＭＳセッティングから、作成を行う。セッティング生成部８０７のＩＤＭＳ作成処理については後述する。
【００９０】
セッティング送信部８０８は、セッティング生成部８０７が生成したＩＤＭＳセッティングを送信先決定部８０４が決定した送信先の装置に通信部８１３を介して出力する。
【００９１】
レポート受信部８０９は、分配装置７００のパケット送信部８０５が送信するＲＴＰパケットに対して、表示装置７０６ａおよび表示装置７０６ｂがそれぞれ送信したＩＤＭＳレポートを通信部８１３を介して受信する。
【００９２】
クライアント決定部８１０は、レポート生成部８１１で作成するＩＤＭＳレポートの基となるＩＤＭＳレポートを送信する表示装置であるＩＤＭＳレポート作成用クライアントを選択する。
【００９３】
レポート生成部８１１は、クライアント決定部８１０で決定された表示装置から受信するＩＤＭＳレポートからＩＤＭＳレポートを作成する。レポート生成部８１１でのＩＤＭＳレポート作成処理については後述する。
【００９４】
レポート送信部８１２は、レポート生成部８１１で生成されたＩＤＭＳレポートを撮像装置１０１に通信部８０１を介して送信する。
【００９５】
図９は、分配装置７００と表示装置７０６との同期制御を示すフローチャートである。
【００９６】
Ｓ９００で、パケット受信部８０２は、撮像装置１０１から出力されたＲＴＰパケットを受信する。
【００９７】
Ｓ９０１で、パケット送信部８０５は、撮像装置１０１から出力されたＲＴＰパケットを送信する。
【００９８】
Ｓ９０２で、パケット送信部８０５は、表示装置７０６に送信したＲＴＰパケットを特定するための情報と、当該ＲＴＰパケットを送信したタイミングとをクライアント決定部８１０に格納する。
【００９９】
Ｓ９０３〜Ｓ９０８で、表示装置７０６は、分配装置７００から出力されたＲＴＰパケットに基づいて画像を表示し、ＩＤＭＳレポートを生成して、分配装置７００に送信する。Ｓ９０３〜Ｓ９０８の一連の処理は、Ｓ６０３〜Ｓ６０８で説明した表示装置１０２の処理と同様であることから説明を省略する。
【０１００】
Ｓ９０９で、レポート受信部８０９は、表示装置７０６ａと表示装置７０６ｂと、からＩＤＭＳレポートを受信する。
【０１０１】
Ｓ９１０で、クライアント決定部８１０は、各表示装置のＩＤＭＳレポートから表示遅延量が最大となる表示装置をＩＤＭＳレポート作成用のクライアントとして決定する。クライアント決定部８１０は、ＩＤＭＳレポートのＰＲＲｔ３０４で示すＲＴＰパケットに含まれる映像信号に基づいて表示装置が画像を表示した時刻（ＰＰＮｔ３０５）を取得する。さらにクライアント決定部８１０は、ＩＤＭＳレポートのＰＲＲｔ３０４が示すＲＴＰパケットの送信時刻をメモリから読み出す。クライアント決定部８１０は、表示時刻と送信時刻との差分から、分配装置７００がＲＴＰパケットを送信してから表示装置が画像を表示するまでの表示遅延量を取得する。クライアント決定部８１０は、各ＩＤＭＳレポートに基づいて各表示装置に対して表示遅延量を取得する。クライアント決定部８１０は、表示遅延量が最大の表示装置を、ＩＤＭＳレポート作成用のクライアントとして決定する。
【０１０２】
Ｓ９１１で、レポート生成部８１１は、ＩＤＭＳレポート作成用のクライアントとして決定した表示装置から受信したＩＤＭＳレポートに基づいて、撮像装置１０１に送信するＩＤＭＳレポートを生成する。レポート生成部８１１が作成するＩＤＭＳレポートの、ＰＲＮｔ３０３、ＰＲＲｔ３０４、ＰＰＮｔ３０５は、ＩＤＭＳレポート作成用クライアントとして決定した表示装置から受信したＩＤＭＳレポートの情報をそのまま使用して作成する。一方、ＭＳＣＩｄ３０２は、ＩＤＭＳレポート作成用クライアントとして決定した表示装置から受信したＩＤＭＳレポートの情報ではなく、分配装置７００の情報に更新する。つまり、分配装置７００から出力するＩＤＭＳレポートに記載されるＭＳＣＩｄ３０２に含まれるＳｙｎｃＧｒｏｕｐＩｄは、表示装置１０２ａ〜１０２ｃから出力されるＩＤＭＳレポートに記載のＭＳＣＩｄ３０２と同一の値となる。
【０１０３】
表示装置７０６ａと、表示装置７０６ｂとは、分配装置７００が送出するＲＴＰパケットに表示同期を行うグループであることから、表示装置１０２ａ〜１０２ｃおよび分配装置７００で構成される表示同期グループと異なるグループであってもよい。
【０１０４】
Ｓ９１２で、レポート送信部８１２により、撮像装置１０１にＩＤＭＳレポートの送信を行う。
【０１０５】
Ｓ９０９〜Ｓ９１２の処理によって、分配装置７００は、分配装置７００が送信するＲＴＰパケットを受信する表示装置のうち表示遅延量が最大の表示装置のＩＤＭＳレポートから、撮像装置１０１に送信するＩＤＭＳレポートを作成して送信する。
【０１０６】
撮像装置１０１は、表示装置１０２ａ〜１０２ｃおよび分配装置７００から受信したＩＤＭＳレポートに基づいて、最も表示遅延量が大きい装置をリファレンスクライアントとして決定する。したがって、撮像装置１０１が決定するリファレンスクライアントは、表示装置１０２ａ〜１０２ｃおよび表示装置７０６ａ、７０６ｂから表示遅延量が最大の表示装置をリファレンスクライアントとして決定したことと同等となる。
【０１０７】
そして、このとき撮像装置１０１が送信するＩＤＭＳセッティング情報は表示装置１０２ａ〜１０２ｃおよび表示装置７０６ａ、７０６ｂのうち表示遅延量が最大の表示装置からＩＤＭＳレポートから作成したＩＤＭＳセッティングと同等となる。
【０１０８】
Ｓ９１３で、セッティング受信部８０６は、撮像装置１０１が送信するＩＤＭＳセッティングを受信する。
【０１０９】
Ｓ９１４そしてセッティング生成部８０７は、撮像装置１０１から受信したＩＤＭＳセッティングから、表示装置７０６ａと、表示装置７０６ｂと、に送信するＩＤＭＳセッティングを作成する。セッティング生成部８０７は、受信したＩＤＭＳセッティングのＰＲＮｔ３０８、ＰＲＲｔ３０９、ＰＰＮｔ３１０をそのまま表示装置７０６ａ、７０６ｂに送信するＩＤＭＳセッティングに用いる。また、セッティング生成部８０７は、ＭＳＣＩｄ３０７については、撮像装置１０１から受信したＩＤＭＳセッティングの情報ではなく、分配装置７００の情報に更新してＩＤＭＳセッティングを生成する。セッティング生成部８０７は、生成するＩＤＭＳセッティングのＭＳＣＩｄ３０７に含まれるＳｙｎｃＧｒｏｕｐＩｄが、表示装置１０２ａ〜１０２ｃおよび分配装置７００からなる表示同期グループを示す値と異なる値としてもよい。
【０１１０】
Ｓ９１５で、セッティング送信部８０８は、生成されたＩＤＭＳセッティングを表示装置７０６ａ、７０６ｂに送信する。
【０１１１】
以上のように、分配装置７００は、撮像装置１０１から受信するＩＤＭＳセッティングから、撮像装置１０１が送信ＲＴＰパケットを受信する表示同期グループのＩＤＭＳセッティングを作成し、送信する。
【０１１２】
Ｓ９１６で、表示装置７０６のセッティング受信部５１２は、ＩＤＭＳセッティングを受信する。
【０１１３】
Ｓ９１７で、表示装置７０６の処理時間取得部５１１、および遅延量決定部５１３は、受信したＩＤＭＳセッティングに基づいて、指定期間を決定する。遅延処理部５０５は、決定された指定期間に基づいて表示処理のタイミングを制御する。具体的には、表示装置７０６は、受信したＩＤＭＳセッティングに記載された表示タイミングで、画像を表示するように、フレームメモリ等を用いてバッファリングを行う。
【０１１４】
上述のようにＩＤＭＳレポートおよびＩＤＭＳセッティングを分配装置が送受信することにより、表示装置１０２ａ〜１０２ｃの表示同期グループと、表示装置７０６ａ、７０６ｂの表示同期グループとが互いに同期して画像を表示することが可能となる。
【０１１５】
なお、図９を用いた一連の説明では、表示装置７０６ａ、７０６ｂは、同じ映像信号（フレーム）について、ＩＤＭＳレポートを生成して、分配装置７００に送信したが、ＩＤＭＳレポートを生成するフレームは表示装置間で異なっていてもよい。例えば、表示装置７０６ａがフレームＡに対応するＩＤＭＳレポートＲａを生成し、表示装置７０６ｂがフレームＡと異なるフレームＢに対応するＩＤＭＳレポートＲｂを生成してもよい。この場合、表示装置７０６ａがフレームＡに対応するＲＴＰパケットの受信時刻と表示時刻とに基づいてＩＤＭＳレポートＲａを生成する。さらに、表示装置７０６ｂは、フレームＢに対応するＲＴＰパケットの受信時刻と表示時刻とに基づいてＩＤＭＳレポートＲｂを生成する。分配装置７００は、フレームＡに対応するＲＴＰパケットの送信時刻とＩＤＭＳレポートＲａから取得した表示時刻とから、表示装置７０６ａの遅延量を取得する。分配装置７００は、フレームＢに対応するＲＴＰパケットの送信時刻とＩＤＭＳレポートＲｂから取得した表示時刻とから、表示装置７０６ｂの遅延量を取得する。分配装置７００は、取得した遅延量のうち大きいほうの表示装置から取得したＩＤＭＳレポートに基づいて、撮像装置１０１に出力するＩＤＭＳレポートを生成する。
【０１１６】
なお、クライアント決定部８１０が決定するＩＤＭＳレポート作成用のクライアントは、表示遅延量の変動が少ない表示装置とすることで表示遅延量の変動の少ないＩＤＭＳレポートの作成を行ってもよい。
【０１１７】
以上のように、第１の実施形態の分配装置７００は、映像信号を送信する１以上の装置から受信したＩＤＭＳレポートから撮像装置１０１に送信するＩＤＭＳレポートを作成する。そして、分配装置は撮像装置から受信したＩＤＭＳセッティングから表示装置に送信するＩＤＭＳセッティングを作成する。
【０１１８】
それによって、撮像装置からのＲＴＰパケットを直接受信する表示装置と、撮像装置からのＲＴＰパケットを分配装置から受信する表示装置との表示同期が可能となる。
【０１１９】
＜第２の実施形態＞
第２の実施形態における分配装置１００１は、分配装置１００１と同階層で接続されている装置群と、分配装置１００１に接続された装置群とを同期させる全体同期モードと、各装置群をそれぞれ独立に同期させる個別同期モードを切換えることを可能とする。
【０１２０】
図１０は、分配装置１００１の機能ブロックを示すブロック図である。第１の実施形態で説明した分配装置と同名、同符号のブロックは、第１の実施形態で説明した同名、同符号のブロックと同様の処理を実行するため、説明を省略する。
【０１２１】
分配装置１００１において、実施の形態１に係る分配装置７００と異なる点は、受信時刻取得部１００２と、モード切換部１００５と、を備え、レポート生成部１００３と、セッティング生成部１００４と、の処理が異なる点である。
【０１２２】
受信時刻取得部１００２は、ＲＴＰパケット受信部８０３がＲＴＰパケットを受信した時刻を取得する。
【０１２３】
モード切換部１００５は、図示しないユーザーインターフェースによってユーザーが指定する表示同期モードに切換を行う。モード切換部１００５が切換可能な表示同期モードは、個別表示同期モードと全体表示同期モードと、である。個別表示同期モードとは、撮像装置１０１からのＲＴＰパケットを直接受信する表示装置と、撮像装置１０１からのＲＴＰパケットを分配装置７００を経由して受信する表示装置と、がそれぞれ異なる表示同期グループとして、個別に表示同期を行うモードである。つまり、個別表示同期モードの場合は、表示装置１０２ａ〜１０２ｃでの表示の同期を行い、それとは独立に表示装置７０６ａと、表示装置７０６ｂとが表示の同期を行うモードである。
【０１２４】
また、全体表示同期モードの場合は、表示装置１０２ａ〜１０２ｃと、表示装置７０６ａ、７０６ｂとが表示の同期を行うモードである。そして、モード切換部１００５は、決定された表示同期モードをレポート生成部１００３と、セッティング生成部１００４と、に通知を行う。
【０１２５】
レポート生成部１００３は、レポート送信部８１２により撮像装置１０１に送信するＩＤＭＳレポートを作成する。レポート生成部１００３は、モード切換部１００５から通知される表示同期モードによってＩＤＭＳレポートの作成方法を切換える。レポート生成部１００３は、表示同期モードが全体表示同期モードである場合、第１の実施形態のレポート生成部８１１と同様の処理を行い、クライアント決定部８１０で決定された表示装置から受信するＩＤＭＳレポートからＩＤＭＳレポートを作成する。
【０１２６】
レポート生成部１００３は、表示同期モードが個別表示同期モードである場合、受信時刻取得部１００２から取得したＲＴＰパケット受信時刻と、そのＲＴＰパケットのＲＴＰ  ｔｉｍｅｓｔａｍｐとを取得する。そして、レポート生成部１００３は、メモリ８１４から、受信時刻取得部１００２から取得したＲＴＰパケットと同一のＲＴＰ  ｔｉｍｅｓｔａｍｐとなるＲＴＰパケットの送信時刻を取得する。レポート生成部１００３は、上記で取得したＲＴＰパケット受信時刻と、ＲＴＰ  ｔｉｍｅｓｔａｍｐと、ＲＴＰパケット送信時刻と、からＩＤＭＳレポートの作成処理を行う。レポート生成部１００３は、ＩＤＭＳレポートのＰＲＮｔ３０３からＴＰパケット受信時刻を設定し、ＰＲＲｔ３０４からＲＴＰ  ｔｉｍｅｓｔａｍｐを設定し、ＰＰＮｔ３０５からＲＴＰパケット送信時刻を設定する。
【０１２７】
セッティング生成部１００４は、表示装置７０６ａと、表示装置７０６ｂと、に送信するＩＤＭＳセッティングを作成する。セッティング生成部１００４は、モード切換部１００５から通知される表示同期モードによってＩＤＭＳセッティングの作成方法を切換える。セッティング生成部１００４は、表示同期モードが全体表示同期モードである場合、第１の実施形態のセッティング生成部８０７と同様に、セッティング受信部８０６によって取得した撮像装置１０１が送信するＩＤＭＳセッティングを用いて作成を行う。
【０１２８】
セッティング生成部１００４は、表示同期モードが個別表示同期モードである場合、クライアント決定部８１０でリファレンスクライアントとして決定された表示装置のＩＤＭＳレポートに基づいてＩＤＭＳセッティングを生成する。セッティング生成部１００４は、リファレンスクライアントのＩＤＭＳレポートのＰＲＮｔ３０３、ＰＲＲｔ３０４、およびＰＰＮｔ３０５を用いてＩＤＭＳセッティングのＰＲＮｔ３０８、ＰＲＲｔ３０９、およびＰＰＮｔ３１０とする。なお、セッティング生成部１００４は、表示同期モードが全体表示同期モードである場合、第１の実施形態と同様に撮像装置１０１から取得したＩＤＭＳセッティングに基づいてＩＤＭＳセッティンを生成する。
【０１２９】
以上のように、第２の実施形態の分配装置は、分配装置が表示同期モードに応じて、ＩＤＭＳレポートと、ＩＤＭＳセッティングの生成方法の切換を行う。したがって、ユーザーの要望に応じた表示同期の方法を切換えることが可能となる。
【０１３０】
＜その他の実施形態＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１３１】
１０１  撮像装置
１０２  表示装置
７００  分配装置
７０６  表示装置
８０１、８１３  通信部
８０２  パケット受信部
８０３  パケット生成部
８０５  パケット送信部
８０６  セッティング受信部
８０７  セッティング生成部
８０８  セッティング送信部
８０９  レポート受信部
８１１  レポート生成部
８１２  レポート送信部
【図１】
2020088755.tif 000003
【図２】
2020088755.tif 000004
【図３】
2020088755.tif 000005
【図４】
2020088755.tif 000006
【図５】
2020088755.tif 000007
【図６】
2020088755.tif 000008
【図７】
2020088755.tif 000009
【図８】
2020088755.tif 000010
【図９】
2020088755.tif 000011
【図１０】
2020088755.tif 000012